(57)【要約】【課題】風力を利用した簡単な構造で塗料を除去し、錆発生を離れた場所から確認することができる機器の清掃装置を提供する。【解決手段】風力により軸部材６を中心として回転する風車１１と、風車１１の回転により所定の面に沿って回転するブラシ１０とを備えたブラシ付き風車５を、風車１１の回転によりブラシ１０が機器１の被清掃面をブラッシングするように機器１に取付ける。風力をうけて風車１１が回転し、風車１１の回転によりブラシ１０が機器１の底部をブラッシングしながら回転し、これに伴って機器１の塗料が少しずつ剥ぎ取られて錆が露出し、離れた場所から錆を確認することができる。【選択図】図３
2009039692.tif 000002
【特許請求の範囲】
【請求項１】
風力により軸部材を中心として回転する風車と、該風車の回転により所定の面に沿って回転するブラシとを備えたブラシ付き風車を、前記風車の回転により前記ブラシが機器の被清掃面をブラッシングするように機器に取付けたことを特徴とする機器の清掃装置。
【請求項２】
前記ブラシ付き風車は、前記軸部材の周りで回転するブラシ支持体に前記ブラシが取付けられ、前記ブラシ支持体の外周に前記風車が取付けられ、前記軸部材を前記機器に取付けるようにしたことを特徴とする請求項１記載の機器の清掃装置。
【請求項３】
前記ブラシ付き風車は、前記軸部材にブラシ支持体が取付けられ、該ブラシ支持体に前記ブラシが取付けられ、前記軸部材に前記風車が取付けられ、前記ブラシ支持体を回転自在に収容する収容部材を前記機器に取付けるようにしたことを特徴とする請求項１記載の機器の清掃装置。
【請求項４】
前記ブラシ付き風車は、前記軸部材に回転自在に取付けられた回転部材に風車兼用のブラシ支持体が放射状に取付けられ、該ブラシ支持体の上面にブラシが取付けられ、前記軸部材を前記機器に取付けるようにしたことを特徴とする請求項１記載の機器の清掃装置。
【請求項５】
前記ブラシ付き風車は、複数個が枠体に取付けられてブラシユニットとして構成され、該ブラシユニットを前記機器に取付けるようにしたことを特徴とする請求項１ないし４のいずれかに記載の機器の清掃装置。
【請求項６】
前記ブラシ付き風車は、前記機器の底部に移動自在に取付けられていることを特徴とする請求項１ないし４のいずれかに記載の機器の清掃装置。
【発明の詳細な説明】
【技術分野】
【０００１】
本発明は、機器の清掃装置に関し、例えば、電柱に取付けられている変圧器、開閉器等の電力機器の底部に発生する錆を確認することを可能にした機器の清掃装置に関する。
【背景技術】
【０００２】
電力機器は、常に風雨にさらされており、経年変化により、機器底部に錆が発生しやすい。特に、海岸線付近に設置されている電力機器では、塩分を含んだ砂が風により吹き付けられて塗料が削られる、いわゆる砂洗い現象により、発錆がより加速される。錆が発生した場合は、安全のため機器を交換する等の処置を速やかに行う必要があり、そのためには、機器底部の発錆を常時確認する作業が欠かせない。機器底部の発錆を確認するには、作業員が電柱に登り、機器底部を間近で目視することにより、錆の有無を確認するようにしている。
【０００３】
ところが、機器表面には錆止め用の塗料が塗布されているため、錆が発生すると、その部分の塗料に盛り上りが生じるだけで、錆そのものは外からは確認することができない。そこで、盛り上がりが生じ、発錆があると疑われる箇所を見つけたら、その部分の塗料を手作業で除去して発錆があるか否かを確認する必要がある。そのため、従来は、機器底部の錆発生を確認するには、作業員が電柱に登り、間近で機器底部を目視し、塗料の盛り上りを見つけたら、その部分の表面の塗料を削り取って錆の有無を確認するようにしている。このような手間のかかる作業を解消するには、塗料を自動的に除去して錆を露出させることができるような清掃装置が望まれる。
【０００４】
特許文献１には、蛍光灯のような棒状の対象物の清浄を行うための円筒状のブラシ付き風車が提案されている。
【特許文献１】実用新案登録３０７８７２８号公報
【発明の開示】
【発明が解決しようとする課題】
【０００５】
上述のように、従来は、機器底部の発錆を確認するため、電柱に登って塗料の盛り上りの部分を除去するという、手間を要する作業が必要であった。しかし、仮に、特許文献１に示されているような風車付ブラシを塗料の除去に適用しようとしても、このブラシ付き風車は回転軸を持たない円筒状のものであるから、平面状の機器の底部清掃に適用することはできない。そこで、簡単な構造で機器の底部の塗料を自動除去して錆を露出させることが可能な清掃装置が求められている。以上のことが本発明の課題といってよい。
【０００６】
本発明は、このような問題に鑑みてなされたものであり、風力を利用して機器表面の塗料を除去し、機器の発錆を離れた場所から確認することができる機器の清掃装置を提供することを目的とする。
【課題を解決するための手段】
【０００７】
本発明者らは、風力を利用して回転するブラシ付き風車を利用して機器の底部をブラッシングして塗料を除去することにより、錆を露出させて、離間した場所から発錆を確認ことができることを見出し、これに基づいて、以下のような新たな機器の清掃装置を発明するに至った。
【０００８】
（１）  風力により軸部材を中心として回転する風車と、該風車の回転により所定の面に沿って回転するブラシとを備えたブラシ付き風車を、前記風車の回転により前記ブラシが機器の表面をブラッシングするように機器に取付けたことを特徴とする機器の清掃装置。
【０００９】
（１）に記載の機器の清掃装置によれば、風力をうけて軸部材を中心として風車が回転し、風車の回転によりブラシが機器の底部をブラッシングしながら回転し、これに伴って機器の表面の塗料が少しずつ剥ぎ取られる。機器の底部に錆が発生すると、その部分が若干盛り上がるが、塗料があるため、そのままでは錆発生は確認できないが、ブラッシングにより塗料が剥ぎ取られるため、錆が露出し、離れた場所からでも目視により確認することができる。したがって、電柱に取付けられている電力機器であっても、地上から発錆を確認することができ、電柱に昇って確認する必要がなくなる。また、ブラシの回転の動力は、風力を利用するので、人工的な動力源を必要とせず、省エネルギーにも優れる。さらに、機器に付着する砂、泥等を除去することができるので、発錆の確認のみならず、通常の清掃装置としても利用することができる。
【００１０】
（２）  前記ブラシ付き風車は、前記軸部材の周りで回転するブラシ支持体に前記ブラシが取付けられ、前記ブラシ支持体の外周に前記風車が取付けられ、前記軸部材を前記機器に取付けるようにしたことを特徴とする（１）記載の機器の清掃装置。
【００１１】
（２）記載の機器の清掃装置によれば、風力により、ブラシ支持体の外周に設けられている風車が回転すると、ブラシ支持体が回転し、ブラシ支持体に取付けられているブラシで機器をブラッシングしながら回転する。ブラシ支持体の外周に風車を一体的に形成することができ、構成が簡単であるとともに、軸部材を磁気吸着又はクリップ手段等の任意の手段で機器に固定することにより、簡単に機器底部に取付けることができる。
【００１２】
（３）  前記ブラシ付き風車は、前記軸部材にブラシ支持体が取付けられ、該ブラシ支持体に前記ブラシが取付けられ、前記軸部材に前記風車が取付けられ、前記ブラシ支持体を回転自在に収容する収容部材を前記機器に取付けるようにしたことを特徴とする（１）記載の機器の清掃装置。
【００１３】
（３）記載の機器の清掃装置によれば、風力により軸部材に取付けられている風車が回転すると、ブラシ支持体が収容部材内で回転し、ブラシ支持体に取付けられているブラシで機器をブラッシングしながら回転する。軸部材の下部に風車を取付けすることができ、構成が簡単であるとともに、収容部材を磁気吸着又はクリップ手段等の任意の手段で機器に固定することにより、簡単に機器底部に取付けることができる。
【００１４】
（４）  前記ブラシ付き風車は、前記軸部材に回転自在に取付けられた回転部材に風車兼用のブラシ支持体が放射状に取付けられ、該ブラシ支持体の上面にブラシが取付けられ、前記軸部材を前記機器に取付けるようにしたことを特徴とする（１）記載の機器の清掃装置。
【００１５】
（４）記載の機器の清掃装置によれば、回転部材に放射状に取付けられている風車兼用のブラシ支持体が風力により回転し、ブラシ支持体に取付けられているブラシで機器をブラッシングしながら回転する。ブラシ支持体が風車を兼ねているので、構成が簡単であり、かつ、ブラシ及びブラシ支持体の占有面積が小さいため、ブラッシングした部分が見やすく、発錆の確認がより容易になる。
【００１６】
（５）  前記ブラシ付き風車は、複数個が枠体に取付けられてブラシユニットとして構成され、該ブラシユニットを前記機器に取付けるようにしたことを特徴とする（１）ないし（４）のいずれかに記載の機器の清掃装置。
【００１７】
（５）記載の機器の清掃装置によれば、複数個のブラシ付き風車が枠体に取付けられたブラシユニットを構成することにより、ブラシユニットを機器に取付けることにより、複数のブラシ付き風車を機器の底部に配列することができ、複数のブラシ付き風車を１個ずつ機器に取付ける必要がなくなり、機器への取付けが簡単である。
【００１８】
（６）  前記ブラシ付き風車は、前記機器の底部に移動自在に取付けられていることを特徴とする（１）ないし（４）のいずれかに記載の遊技機。
【００１９】
（６）記載の機器の清掃装置によれば、風力を受けてブラシ付き風車は回転しつつ機器の底部をブラッシングしながら移動し、１個のブラシ付き風車でも底部を広範囲でブラッシングすることが可能となる。
【発明の効果】
【００２０】
本発明に機器の清掃装置によれば、風力を利用して機器の被清掃面をブラッシングすることにより、錆で浮いた塗料を除去することができ、その部分の発錆が離れた場所からでも目視により確認することができ、手作業で塗料を除去して発錆を確認する手間を省くことができる機器の清掃装置を提供することができる。
【発明を実施するための最良の形態】
【００２１】
以下、図面を参照して本発明を実施するための最良の形態を説明する。
【００２２】
図１は、本発明の実施形態による機器の清掃装置が装着された電力機器を電柱に取付けた状態の側面図である。図２は、第１実施形態の機器の清掃装置の斜視図である。図３は、第１実施形態の機器の清掃装置の側面図である。図４は、第１実施形態の機器の清掃装置の底面図である。図５は、第１実施形態の機器の清掃装置におけるブラシ付き風車の斜視図である。図６は、第１実施形態の機器の清掃装置におけるブラシ付き風車の平面図である。図７は、機器底部における発錆部分の拡大断面図である。
【００２３】
図１に示すように、例えば変圧器等の機器１が電柱２に取付具３を介して取付けられている。機器１の底部に本発明の第１実施形態による機器の清掃装置Ａが設けられている。
【００２４】
第１実施形態に係わる機器の清掃装置Ａは、複数のブラシ付き風車５により構成されている。ブラシ付き風車５は、中心の軸部材６と、この軸部材６の外周に回転自在に装着された回転部材７と、この回転部材７の外周に取付けられた円板状のブラシ支持体８と、このブラシ支持体８上に帯状に設けられたブラシ１０と、ブラシ支持体８の外周に設けられた羽根状の風車１１とを備えたものである。ブラシ支持体８には、透孔１２が数箇所に形成されている。ブラシ支持体８は、透明な樹脂板で構成することが好ましいが、ブラシ支持体８の材質は限定されない。風車１１は、ブラシ支持体８の外周に形成された環状体１１ａに羽根１１ｂを設けたものである。風車としては、リングの内側に羽根が設けられたクロスフロー型風車、翼形の羽根が取付け角度を変えながら回転するジャイロミル形風車等、種々のものが知られているが、周知の風車を用いることができる。また、羽根１１ｂに変えて環状体１１ａに凹凸部を形成した構成でもよい。
【００２５】
軸部材６は、磁石で構成されており、図３及び図４に示すように、軸部材６を機器１の底部に吸着させることにより、機器１の底部に固定される。このように構成されたブラシ付き風車５は、機器１の底部に複数個配列されている。図示の例では、４隅と中間に計６個配列しているが、配列個数は限定されない。
【００２６】
図１に示すように、電柱２に設置された機器１の底部に複数のブラシ付き風車５が取付けられている。ブラシ付き風車５の風車１１に風が当たると、風車１１が回転し、ブラシ支持体８及びこれに取付けられたブラシ１０が回転し、ブラシ１０が機器１の底面をブラッシングしながら回転する。これにより、図７に示すように、機器１の底面に塗布されている塗料１５が除去される。したがって、底面に錆１６が発生している場合は、その表面の塗料１５が除去されることにより、錆１６の部分が露出し、これがブラシ支持体８の透孔１２を通して地上にいる人１７から目視で確認することができる。
【００２７】
上記実施形態では、軸部材６を磁石で構成しているが、回転部材７が磁性体で構成されている場合は、回転部材７が磁化されないように、軸部材６に絶縁体を介して吸着用の磁石を取付けるか、又は軸部材６を非磁性体の材質で構成し、これに吸着用の磁石を取付けるようにしてもよい。
【００２８】
さらにまた、軸部材６を機器１の底部に取付ける手段としては、磁石に限定されない。例えば、機器１の底部に軸部材６をねじ止めするか、あるいは、軸部材６にクリップ等の固定手段を設け、この固定手段で機器１の底部にあるリブ（図１６参照）等を挟着するようにしてもよい。
【００２９】
図８は、本発明の第２実施形態に係わる機器の清掃装置の外観斜視図である。図９は、本発明の第２実施形態に係わる機器の清掃装置の分解斜視図である。図１０は、第２実施形態に係わる機器の清掃装置の側面図である。
【００３０】
第２実施形態の機器の清掃装置は、複数のブラシ付き風車５を枠体２０に取付けたブラシユニット２１を構成している。枠体２０は、角形の上部枠２０ａと下部枠２０ｂとが連結材２０ｃで連結されたものである。上部枠２０ａと下部枠２０ｂの間にブラシ付き風車５の軸部材６を取付けることにより、枠体２０に複数のブラシ付き風車５を配列して、図９に示すようなブラシユニット２１を構成している。図１０に示すように、このブラシユニット２１を機器１の底部にねじ止等、所望の手段で取付ける。
【００３１】
本実施形態では、複数個のブラシ付き風車５が枠体２０に取付けられたブラシユニット２１を構成することにより、ブラシユニット２１を機器に取付けることにより、複数のブラシ付き風車５を機器の底部に配列することができ、複数のブラシ付き風車を１個ずつ機器に取付ける必要がなくなり、機器１への取付けが簡単である。
【００３２】
図１１は、第３実施形態に係わる機器の清掃装置の斜視図である。図１２は、第３実施形態に係わる機器の清掃装置の斜視図である。図１３は、第３実施形態に係わる機器の清掃装置の縦断側面図である。
【００３３】
第３実施形態の機器の清掃装置に適用されるブラシ付き風車５は、帯状のブラシ１０が取付けられた円板状のブラシ支持体８と、リング状の収容部材２６を備えている。ブラシ支持体８の上部にはブラシ１０が取付けられ、下部には回転軸となる軸部材６が設けられ、この軸部材６に羽根状の風車１１が取付けられている。ブラシ支持体８には、透孔１２が数箇所に形成されている。ブラシ支持体８は、収容部材２６の溝２７にベアリング２８を介して回転自在に支持されている。ブラシ支持体８は、透明な樹脂板で構成することが好ましいが、ブラシ支持体８の材質は限定されない。
【００３４】
収容部材２６は磁石で構成されており、収容部材２６を機器１の底部に吸着させることによりに固定される。このように構成されたブラシ付き風車５は、第１実施形態と同様に機器１の底部に複数個配列される。収容部材２６を機器１の底部へ固定する手段は、収容部材２６を磁石で構成して底部に吸着させるか、あるいは、収容部材２６をねじ止めしてもよい。また、第２実施形態のように、収容部材２６を枠体２０に固定してブラシユニット２１として構成することも可能である。
【００３５】
本実施形態のブラシ付き風車５は、風車１１に風が当たると、ブラシ支持体８が収容部材２６内で回転し、ブラシ１０が機器１の底面をブラッシングしながら回転することにより、機器１の底面に塗布されている塗料が除去される。
【００３６】
図１４は、第４実施形態に係わる機器の清掃装置の斜視図である。
【００３７】
第４実施形態に係わる清掃装置に適用されるブラシ付き風車５は、軸部材６に筒状の回転部材３０が回転自在に取付けられ、この回転部材３０に風車兼用のブラシ支持体８０が放射状に取付けられ、このブラシ支持体８０の上面にブラシ１０が取付けられている。本実施形態のブラシ付き風車５は、軸部材６を磁石で構成し、第１実施形態のように、ブラシ付き風車５単体を機器１の底部に複数個配列するか、第２実施形態のように、軸部材６を枠体２０に固定するようにしてもよい。
【００３８】
ブラシ支持体８０に風が当たると、ブラシ支持体８０は回転し、ブラシ１０が機器１の底面をブラッシングしながら回転することにより、機器１の底面に塗布されている塗料が除去される。本実施形態のブラシ付き風車５は、ブラシ支持体８０が風車を兼ねているので、構成が簡単であり、かつ、ブラシ１０及びブラシ支持体８０の占有面積が小さいため、ブラッシングした部分が見やすく、発錆の確認がより容易になる。
【００３９】
図１５は、第５実施形態に係わる機器の清掃装置の底面図である。図１６は、第５実施形態に係わる機器の清掃装置の縦断側面図である。
【００４０】
機器１の底部には、側面に凹溝３５ａを有する、連続したリブ３５が形成されている。ブラシ付き風車５の上部にはガイド片３６が設けられ、ガイド片３６に形成されている嵌合溝３６ａをリブ３５に移動自在に嵌合させている。ブラシ付き風車５は、風力で回転するとともに、風向きに従ってリブ３５に沿って自由に移動する。これにより、１個のブラシ付き風車５でも機器１の底部全体をブラッシングすることができる。
【００４１】
以上のように、本発明による機器の清掃装置は、風力を利用して回転するブラシ付き風車５により、機器１の底部をブラッシングすることにより、錆で浮いた塗料１５を除去することができ、その部分の錆１６が離れた場所からでも目視により確認することができるため、例えば、変圧器、バランサ、開閉器等、電柱２に取付けられている電力機器の発錆を地上から確認することができる。したがって、従来のように、電柱に昇って、塗料が浮き上がって発錆が疑わしい箇所の塗料を手作業で除去して発錆を確認するという手間のかかる作業を省くことができる。また、発錆確認のほか、機器に付着した泥等の汚れを落とすことも可能となり、機器の耐久性の向上にも寄与することができる。
【００４２】
本発明の機器の清掃装置は、電柱に取付けられた電力機器に最適であるが、これに限定されず、屋外に設置されるあらゆる機器の清掃に適用可能である。
【図面の簡単な説明】
【００４３】
【図１】本発明の機器の清掃装置が設けられた電力機器を電柱へ取付けた状態を示す側面図である。
【図２】第１実施形態の機器の清掃装置の斜視図である。
【図３】第１実施形態の機器の清掃装置の底面図である。
【図４】第１実施形態の機器の清掃装置の側面図である。
【図５】第１実施形態の機器の清掃装置におけるブラシ付き風車の斜視外観図である。
【図６】第１実施形態の機器の清掃装置におけるブラシ付き風車の平面図である。
【図７】図７は、清掃後の機器底部の拡大断面図である。
【図８】第２実施形態の機器の清掃装置の斜視図である。
【図９】第２実施形態の機器の清掃装置の分解斜視図である。
【図１０】第２実施形態の機器の清掃装置の底面図である。
【図１１】第３実施形態の機器の清掃装置におけるブラシ付き風車の斜視図である。
【図１２】第３実施形態の機器の清掃装置におけるブラシ付き風車の平面図である。
【図１３】第３実施形態の機器の清掃装置におけるブラシ付き風車の縦断側面図である。
【図１４】第４実施形態の機器の清掃装置におけるブラシ付き風車の斜視図である。
【図１５】第５実施形態の機器の清掃装置の底面図である。
【図１６】第５実施形態の機器の清掃装置の要部の断面図である。
【符号の説明】
【００４４】
１  機器
５  ブラシ付き風車
６  軸部材
８  ブラシ支持体
１０  ブラシ
１１  風車
２１  ブラシユニット
２６  収容部材
Ａ  機器の清掃装置
【図１】
2009039692.tif 000003
【図２】
2009039692.tif 000004
【図３】
2009039692.tif 000005
【図４】
2009039692.tif 000006
【図５】
2009039692.tif 000007
【図６】
2009039692.tif 000008
【図７】
2009039692.tif 000009
【図８】
2009039692.tif 000010
【図９】
2009039692.tif 000011
【図１０】
2009039692.tif 000012
【図１１】
2009039692.tif 000013
【図１２】
2009039692.tif 000014
【図１３】
2009039692.tif 000015
【図１４】
2009039692.tif 000016
【図１５】
2009039692.tif 000017
【図１６】
2009039692.tif 000018